(57)【要約】【課題】自動パージ処理により排出された用紙と、自動パージ処理の開始前または終了後に排出された用紙との混在を防止できる画像形成システムを提供する。【解決手段】本発明の画像形成システムは、ジョブの実行中に搬送路を搬送される用紙に搬送異常が生じた場合、搬送異常となった用紙が搬送路から取り除かれた後、搬送路に残存する用紙を搬送して排紙トレイに排出する自動パージ処理を実行し、自動パージ処理の終了後、ユーザーの動作に基づき生成される所定の信号が認識された場合、搬送異常により中断されたジョブを再開する。【選択図】図９Ｄ
2018118832.tif 000002
【特許請求の範囲】
【請求項１】
ジョブに基づく画像形成を行う画像形成システムであって、
搬送路に沿って用紙を搬送する用紙搬送部と、
前記搬送路上に設けられ、前記搬送路に沿って搬送される用紙上に画像を形成する画像形成部と、
前記画像形成部よりも前記用紙の搬送方向の下流側に設けられ、前記搬送路に沿って搬送される用紙が排出される排紙トレイと、
ユーザーの動作に基づき生成される所定の信号を認識する認識部と、
前記ジョブの実行中に前記搬送路を搬送される用紙に搬送異常が生じた場合、前記搬送異常となった用紙が前記搬送路から取り除かれた後、前記搬送路に残存する用紙を搬送して前記排紙トレイに排出する自動パージ処理を実行するように、前記用紙搬送部を制御する制御部と、を有し、
前記制御部は、前記自動パージ処理の終了後、前記所定の信号が認識された場合、前記搬送異常により中断された前記ジョブを再開する制御を行う、画像形成システム。
【請求項２】
前記自動パージ処理の終了後、前記所定の信号が認識された場合に前記ジョブを再開する第１動作モードと、前記自動パージ処理の終了後に前記ジョブを続けて再開する第２動作モードとの間で動作モードを切り替え可能に構成されており、
前記動作モードが前記第２動作モードである場合、前記制御部は、前記自動パージ処理の終了後、前記所定の信号が認識されるのを待つことなく、前記搬送異常により中断された前記ジョブを続けて再開する制御を行う、請求項１に記載の画像形成システム。
【請求項３】
前記制御部は、前記排紙トレイに関する情報、前記ジョブに関する情報、および前記搬送異常に関する情報のうちの少なくとも１つの情報に基づいて、前記動作モードを決定する、請求項２に記載の画像形成システム。
【請求項４】
ユーザー操作に基づき前記動作モードを設定する設定部をさらに有し、
前記制御部は、前記動作モードを前記ユーザー操作に基づき設定された動作モードに決定する、請求項２または３に記載の画像形成システム。
【請求項５】
前記排紙トレイが１つの場合、前記制御部は、前記動作モードを前記第１動作モードに決定する、請求項２〜４のいずれか１項に記載の画像形成システム。
【請求項６】
前記排紙トレイが１つの場合、前記制御部は、ユーザー操作に基づく前記動作モードの設定を禁止して、前記動作モードを前記第１動作モードに決定する、請求項４に記載の画像形成システム。
【請求項７】
前記自動パージ処理により排出される用紙と、前記自動パージ処理の開始前または終了後に排出される用紙とを区別するための用紙を供給可能な場合、前記制御部は、前記動作モードを前記第２動作モードに決定する、請求項２〜６のいずれか１項に記載の画像形成システム。
【請求項８】
前記自動パージ処理により排出される用紙を収容する専用の排紙トレイをさらに有し、
前記自動パージ処理において前記専用の排紙トレイに用紙を排出する場合、前記制御部は、前記動作モードを前記第２動作モードに決定する、請求項２〜７のいずれか１項に記載の画像形成システム。
【請求項９】
前記ジョブのセキュリティレベルが所定レベル以上の場合、前記制御部は、前記動作モードを前記第２動作モードに決定する、請求項２〜８のいずれか１項に記載の画像形成システム。
【請求項１０】
前記搬送異常となった用紙の搬送が可能であるか否かを判断する判断部をさらに有し、
前記搬送異常となった用紙の搬送が可能であると判断される場合、前記制御部は、前記動作モードを前記第２動作モードに決定する、請求項２〜９のいずれか１項に記載の画像形成システム。
【請求項１１】
前記判断部は、前記搬送異常の原因が、用紙の片寄り異常、用紙の曲がり異常、用紙の重送、または画像準備未完了の場合、前記搬送異常となった用紙の搬送が可能であると判断する、請求項１０に記載の画像形成システム。
【請求項１２】
画像形成システムで使用されるジョブ実行方法であって、
ジョブの実行中に搬送路を搬送される用紙に搬送異常が生じた場合、前記搬送異常となった用紙が前記搬送路から取り除かれた後、前記搬送路に残存する用紙を搬送して排紙トレイに排出する自動パージ処理を実行するステップ（ａ）と、
前記自動パージ処理の終了後、ユーザーの動作に基づき生成される所定の信号を認識するステップ（ｂ）と、
前記所定の信号が認識された場合、前記搬送異常により中断された前記ジョブを再開するステップ（ｃ）と、
を有するジョブ実行方法。
【請求項１３】
前記画像形成システムは、前記自動パージ処理の終了後、前記所定の信号が認識された場合に前記ジョブを再開する第１動作モードと、前記自動パージ処理の終了後に前記ジョブを続けて再開する第２動作モードとの間で動作モードを切り替え可能に構成されており、
前記ジョブ実行方法は、
前記動作モードが前記第２動作モードである場合、前記ステップ（ｂ）および前記ステップ（ｃ）に代えて、前記自動パージ処理の終了後、前記搬送異常により中断された前記ジョブを続けて再開するステップ（ｄ）をさらに有する、請求項１２に記載のジョブ実行方法。
【請求項１４】
画像形成システムで実行されるジョブ実行プログラムであって、
ジョブの実行中に搬送路を搬送される用紙に搬送異常が生じた場合、前記搬送異常となった用紙が前記搬送路から取り除かれた後、前記搬送路に残存する用紙を搬送して排紙トレイに排出する自動パージ処理を実行する制御を行う手順（ａ）と、
前記自動パージ処理の終了後、ユーザーの動作に基づき生成される所定の信号を認識する手順（ｂ）と、
前記所定の信号が認識された場合、前記搬送異常により中断された前記ジョブを再開する制御を行う手順（ｃ）と、
をコンピューターに実行させるジョブ実行プログラム。
【請求項１５】
前記画像形成システムは、前記自動パージ処理の終了後、前記所定の信号が認識された場合に前記ジョブを再開する第１動作モードと、前記自動パージ処理の終了後に前記ジョブを続けて再開する第２動作モードとの間で動作モードを切り替え可能に構成されており、
前記ジョブ実行プログラムは、
前記動作モードが前記第２動作モードである場合、前記手順（ｂ）および前記手順（ｃ）に代えて、前記自動パージ処理の終了後、前記搬送異常により中断された前記ジョブを続けて再開する制御を行う手順（ｄ）をさらに前記コンピューターに実行させる、請求項１４に記載のジョブ実行プログラム。
【発明の詳細な説明】
【技術分野】
【０００１】
本発明は、画像形成システム、ジョブ実行方法、およびジョブ実行プログラムに関する。
【背景技術】
【０００２】
用紙上に画像を形成する画像形成装置と、画像形成装置により画像が形成された用紙に後処理を施す後処理装置とを備える画像形成システムがある。
【０００３】
画像形成システムは、ジョブの実行中に紙詰まり等の搬送異常が生じると、搬送異常となった用紙よりも上流側の搬送路にある用紙の搬送を停止する。そして、搬送異常となった用紙がユーザーにより搬送路から取り除かれれば、画像形成システムは、搬送路に残存する用紙を搬送して外部に排出する自動パージ処理を行う（たとえば、特許文献１）。
【０００４】
自動パージ処理では、搬送路に残存する用紙は、無効紙として排紙トレイに排出される。自動パージ処理が終了すれば、画像形成システムは、搬送異常により中断されたジョブを続けて再開する。
【０００５】
したがって、自動パージ処理を行う場合、たとえば、画像形成システムに排紙トレイが１つしかなければ、自動パージ処理により無効紙として排出された用紙は、自動パージ処理の開始前または終了後に排出された用紙と同じ排紙トレイに載置されることになる。自動パージ処理により無効紙として排出された用紙が、他の用紙と同じ排紙トレイに載置されれば、印刷物の中に不必要な用紙が混在することになり、好ましくない。
【先行技術文献】
【特許文献】
【０００６】
【特許文献１】特開２０１１−１４５５５８号公報
【発明の概要】
【発明が解決しようとする課題】
【０００７】
本発明は、上述した課題に鑑みてなされたものである。したがって、本発明の目的は、画像形成システムの排紙トレイの構成に関わらず、自動パージ処理により排出された用紙と、自動パージ処理の開始前または終了後に排出された用紙との混在を防止できる画像形成システム、ジョブ実行方法、およびジョブ実行プログラムを提供することである。
【課題を解決するための手段】
【０００８】
本発明の上記目的は、下記の手段によって達成される。
【０００９】
（１）ジョブに基づく画像形成を行う画像形成システムであって、搬送路に沿って用紙を搬送する用紙搬送部と、前記搬送路上に設けられ、前記搬送路に沿って搬送される用紙上に画像を形成する画像形成部と、前記画像形成部よりも前記用紙の搬送方向の下流側に設けられ、前記搬送路に沿って搬送される用紙が排出される排紙トレイと、ユーザーの動作に基づき生成される所定の信号を認識する認識部と、前記ジョブの実行中に前記搬送路を搬送される用紙に搬送異常が生じた場合、前記搬送異常となった用紙が前記搬送路から取り除かれた後、前記搬送路に残存する用紙を搬送して前記排紙トレイに排出する自動パージ処理を実行するように、前記用紙搬送部を制御する制御部と、を有し、前記制御部は、前記自動パージ処理の終了後、前記所定の信号が認識された場合、前記搬送異常により中断された前記ジョブを再開する制御を行う、画像形成システム。
【００１０】
（２）前記自動パージ処理の終了後、前記所定の信号が認識された場合に前記ジョブを再開する第１動作モードと、前記自動パージ処理の終了後に前記ジョブを続けて再開する第２動作モードとの間で動作モードを切り替え可能に構成されており、前記動作モードが前記第２動作モードである場合、前記制御部は、前記自動パージ処理の終了後、前記所定の信号が認識されるのを待つことなく、前記搬送異常により中断された前記ジョブを続けて再開する制御を行う、上記（１）に記載の画像形成システム。
【００１１】
（３）前記制御部は、前記排紙トレイに関する情報、前記ジョブに関する情報、および前記搬送異常に関する情報のうちの少なくとも１つの情報に基づいて、前記動作モードを決定する、上記（２）に記載の画像形成システム。
【００１２】
（４）ユーザー操作に基づき前記動作モードを設定する設定部をさらに有し、前記制御部は、前記動作モードを前記ユーザー操作に基づき設定された動作モードに決定する、上記（２）または（３）に記載の画像形成システム。
【００１３】
（５）前記排紙トレイが１つの場合、前記制御部は、前記動作モードを前記第１動作モードに決定する、上記（２）〜（４）のいずれか１つに記載の画像形成システム。
【００１４】
（６）前記排紙トレイが１つの場合、前記制御部は、ユーザー操作に基づく前記動作モードの設定を禁止して、前記動作モードを前記第１動作モードに決定する、上記（４）に記載の画像形成システム。
【００１５】
（７）前記自動パージ処理により排出される用紙と、前記自動パージ処理の開始前または終了後に排出される用紙とを区別するための用紙を供給可能な場合、前記制御部は、前記動作モードを前記第２動作モードに決定する、上記（２）〜（６）のいずれか１つに記載の画像形成システム。
【００１６】
（８）前記自動パージ処理により排出される用紙を収容する専用の排紙トレイをさらに有し、前記自動パージ処理において前記専用の排紙トレイに用紙を排出する場合、前記制御部は、前記動作モードを前記第２動作モードに決定する、上記（２）〜（７）のいずれか１つに記載の画像形成システム。
【００１７】
（９）前記ジョブのセキュリティレベルが所定レベル以上の場合、前記制御部は、前記動作モードを前記第２動作モードに決定する、上記（２）〜（８）のいずれか１つに記載の画像形成システム。
【００１８】
（１０）前記搬送異常となった用紙の搬送が可能であるか否かを判断する判断部をさらに有し、前記搬送異常となった用紙の搬送が可能であると判断される場合、前記制御部は、前記動作モードを前記第２動作モードに決定する、上記（２）〜（９）のいずれか１つに記載の画像形成システム。
【００１９】
（１１）前記判断部は、前記搬送異常の原因が、用紙の片寄り異常、用紙の曲がり異常、用紙の重送、または画像準備未完了の場合、前記搬送異常となった用紙の搬送が可能であると判断する、上記（１０）に記載の画像形成システム。
【００２０】
（１２）画像形成システムで使用されるジョブ実行方法であって、ジョブの実行中に搬送路を搬送される用紙に搬送異常が生じた場合、前記搬送異常となった用紙が前記搬送路から取り除かれた後、前記搬送路に残存する用紙を搬送して排紙トレイに排出する自動パージ処理を実行するステップ（ａ）と、前記自動パージ処理の終了後、ユーザーの動作に基づき生成される所定の信号を認識するステップ（ｂ）と、前記所定の信号が認識された場合、前記搬送異常により中断された前記ジョブを再開するステップ（ｃ）と、を有するジョブ実行方法。
【００２１】
（１３）前記画像形成システムは、前記自動パージ処理の終了後、前記所定の信号が認識された場合に前記ジョブを再開する第１動作モードと、前記自動パージ処理の終了後に前記ジョブを続けて再開する第２動作モードとの間で動作モードを切り替え可能に構成されており、前記ジョブ実行方法は、前記動作モードが前記第２動作モードである場合、前記ステップ（ｂ）および前記ステップ（ｃ）に代えて、前記自動パージ処理の終了後、前記搬送異常により中断された前記ジョブを続けて再開するステップ（ｄ）をさらに有する、上記（１２）に記載のジョブ実行方法。
【００２２】
（１４）画像形成システムで実行されるジョブ実行プログラムであって、ジョブの実行中に搬送路を搬送される用紙に搬送異常が生じた場合、前記搬送異常となった用紙が前記搬送路から取り除かれた後、前記搬送路に残存する用紙を搬送して排紙トレイに排出する自動パージ処理を実行する制御を行う手順（ａ）と、前記自動パージ処理の終了後、ユーザーの動作に基づき生成される所定の信号を認識する手順（ｂ）と、前記所定の信号が認識された場合、前記搬送異常により中断された前記ジョブを再開する制御を行う手順（ｃ）と、をコンピューターに実行させるジョブ実行プログラム。
【００２３】
（１５）前記画像形成システムは、前記自動パージ処理の終了後、前記所定の信号が認識された場合に前記ジョブを再開する第１動作モードと、前記自動パージ処理の終了後に前記ジョブを続けて再開する第２動作モードとの間で動作モードを切り替え可能に構成されており、前記ジョブ実行プログラムは、前記動作モードが前記第２動作モードである場合、前記手順（ｂ）および前記手順（ｃ）に代えて、前記自動パージ処理の終了後、前記搬送異常により中断された前記ジョブを続けて再開する制御を行う手順（ｄ）をさらに前記コンピューターに実行させる、上記（１４）に記載のジョブ実行プログラム。
【発明の効果】
【００２４】
本発明によれば、自動パージ処理の終了後、ユーザーの動作に基づく所定の信号が認識されない限りジョブが再開されないため、ジョブが再開される前に、ユーザーが自動パージ処理により排出された用紙を排紙トレイから取り除くことが可能になる。つまり、自動パージ処理により排出された用紙と、自動パージ処理の開始前または終了後に排出された用紙との混在を防止できる。
【図面の簡単な説明】
【００２５】
【図１】本発明の第１実施形態に係る画像形成システムの概略構成を示す図である。
【図２】画像形成装置の概略構成を示すブロック図である。
【図３】後処理装置の概略構成を示すブロック図である。
【図４】印刷処理の手順を示すフローチャートである。
【図５】図４に後続するフローチャートである。
【図６】動作モード決定処理の手順を示すフローチャートである。
【図７】設定画面の一例を示す図である。
【図８Ａ】第１動作モードにおける画像形成システムの動作を説明するための図である。
【図８Ｂ】図８Ａに後続する図である。
【図８Ｃ】図８Ｂに後続する図である。
【図８Ｄ】図８Ｃに後続する図である。
【図８Ｅ】図８Ｄに後続する図である。
【図８Ｆ】図８Ｅに後続する図である。
【図９Ａ】操作パネルに表示される画面の一例を示す図である。
【図９Ｂ】図９Ａに後続する図である。
【図９Ｃ】図９Ｂに後続する図である。
【図９Ｄ】図９Ｃに後続する図である。
【図９Ｅ】図９Ｄに後続する図である。
【図１０Ａ】第２動作モードにおける画像形成システムの動作を説明するための図である。
【図１０Ｂ】図１０Ａに後続する図である。
【図１０Ｃ】図１０Ｂに後続する図である。
【図１０Ｄ】図１０Ｃに後続する図である。
【図１０Ｅ】図１０Ｄに後続する図である。
【図１０Ｆ】図１０Ｅに後続する図である。
【図１１Ａ】操作パネルに表示される画面の一例を示す図である。
【図１１Ｂ】図１１Ａに後続する図である。
【図１１Ｃ】図１１Ｂに後続する図である。
【図１１Ｄ】図１１Ｃに後続する図である。
【図１１Ｅ】図１１Ｄに後続する図である。
【図１２】本発明の第２実施形態に係る画像形成システムの概略構成を示す図である。
【図１３】動作モード決定処理の手順を示すフローチャートである。
【図１４Ａ】画像形成システムの動作を説明するための図である。
【図１４Ｂ】図１４Ａに後続する図である。
【図１４Ｃ】図１４Ｂに後続する図である。
【図１５Ａ】操作パネルに表示される画面の一例を示す図である。
【図１５Ｂ】図１５Ａに後続する図である。
【図１５Ｃ】図１５Ｂに後続する図である。
【図１６】本発明の第３実施形態に係る画像形成システムの概略構成を示す図である。
【図１７】動作モード決定処理の手順を示すフローチャートである。
【図１８Ａ】画像形成システムの動作を説明するための図である。
【図１８Ｂ】図１８Ａに後続する図である。
【図１８Ｃ】図１８Ｂに後続する図である。
【図１９Ａ】操作パネルに表示される画面の一例を示す図である。
【図１９Ｂ】図１９Ａに後続する図である。
【図１９Ｃ】図１９Ｂに後続する図である。
【図２０】本発明の第４実施形態に係る画像形成システムの概略構成を示す図である。
【図２１】動作モード決定処理の手順を示すフローチャートである。
【図２２Ａ】画像形成システムの動作を説明するための図である。
【図２２Ｂ】図２２Ａに後続する図である。
【図２２Ｃ】図２２Ｂに後続する図である。
【図２３Ａ】操作パネルに表示される画面の一例を示す図である。
【図２３Ｂ】図２３Ａに後続する図である。
【図２３Ｃ】図２３Ｂに後続する図である。
【図２４】本発明の第５実施形態に係る動作モード決定処理の手順を示すフローチャートである。
【図２５】本発明の第６実施形態に係る動作モード決定処理の手順を示すフローチャートである。
【発明を実施するための形態】
【００２６】
以下、図面を参照して、本発明の実施形態を詳細に説明する。
【００２７】
（第１実施形態）
図１は、本発明の第１実施形態に係る画像形成システム１０の概略構成を示す図である。画像形成システム１０は、用紙上に画像を形成する画像形成装置１００と、画像形成装置１００により画像が形成された用紙に後処理を施す後処理装置２００とを備える。以下、画像形成装置１００および後処理装置２００の順番で説明する。
【００２８】
＜画像形成装置＞
図２は、画像形成装置１００の概略構成を示すブロック図である。画像形成装置１００は、制御部１０１、記憶部１０２、操作パネル１０３、画像読取部１０４、給紙部１０５、用紙搬送部１０６、画像処理部１０７、画像形成部１０８、用紙センサー１０９、および通信部１１０を備えており、これらは信号をやり取りするためのバス１１１を介して相互に接続されている。
【００２９】
制御部１０１は、ＣＰＵ（Ｃｅｎｔｒａｌ  Ｐｒｏｃｅｓｓｉｎｇ  Ｕｎｉｔ）であり、プログラムにしたがって上記各部の制御や各種の演算処理を行う。また、制御部１０１は、後処理装置２００の制御部２０１（図３参照）と通信して、後処理装置２００の動作を制御する。制御部１０１は、印刷制御装置として、ページ記述言語で記述された印刷データ等から印刷用の画像データを生成する。
【００３０】
記憶部１０２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを格納するハードディスク等から構成される。
【００３１】
操作パネル１０３は、タッチパネル、テンキー、スタートボタン、およびストップボタン等を備えており、各種情報の表示および各種指示の入力に使用される。
【００３２】
画像読取部１０４は、所定の読み取り位置にセットされた原稿に蛍光ランプ等の光源で光を当て、その反射光をＣＣＤ（Ｃｈａｒｇｅ  Ｃｏｕｐｌｅｄ  Ｄｅｖｉｃｅ）イメージセンサー等の撮像装置により光電変換して、その電気信号から画像データを生成する。
【００３３】
給紙部１０５は、複数の給紙トレイを有しており、給紙トレイに収容された用紙３００を１枚ずつ搬送路１１５に送り出す。
【００３４】
用紙搬送部１０６は、用紙３００を挟持して搬送する複数の搬送ローラー対を備え、給紙部１０５から給紙される用紙３００を搬送路１１５に沿って搬送する。
【００３５】
画像処理部１０７は、画像データに対して各種の画像処理を施す。画像処理部１０７は、専用の画像処理ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等から構成される。
【００３６】
画像形成部１０８は、帯電、露光、現像、転写、および定着の各工程を含む電子写真式プロセス等の周知の作像プロセスを用いて、搬送路１１５を搬送される用紙３００上に画像データに基づく画像を形成する。
【００３７】
用紙センサー１０９は、画像形成装置１００の搬送路１１５に複数配置されており、各配置位置における用紙３００の有無を検出する。用紙センサー１０９は、用紙３００の紙詰まり等の搬送異常を検出するために用いられる。
【００３８】
通信部１１０は、他の機器と通信するためのインターフェースであり、後処理装置２００との間で設定値や動作タイミング制御に必要な各種信号等の送受信を行う。また、通信部１１０は、外部のＰＣ（Ｐｅｒｓｏｎａｌ  Ｃｏｍｐｕｔｅｒ）から、ページ記述言語で記述された印刷データ等を受信する。
【００３９】
なお、画像形成装置１００の制御部１０１は、対応するプログラムを実行することによって、認識部および設定部として機能する。ここで、認識部は、ユーザーにより操作パネル１０３のスタートボタンが押下された場合に生成される信号を認識する。設定部は、ユーザー操作に基づき画像形成システム１０の動作モードを設定する。各部の具体的な処理内容については後述する。
【００４０】
＜後処理装置＞
図３は、後処理装置２００の概略構成を示すブロック図である。後処理装置２００は、制御部２０１、記憶部２０２、用紙搬送部２０３、平綴じ部２０４、排紙部２０５、挿入紙給紙部２０６、用紙センサー２０７、および通信部２０８を備えており、これらは信号をやり取りするためのバス２０９を介して相互に接続されている。なお、後処理装置２００の上記各部のうち、画像形成装置１００の上記各部と同様の機能を有する部分については、その説明を省略する。
【００４１】
平綴じ部２０４は、用紙３００を蓄積するスタッカ部および用紙３００の束をステープル留めするステープル部を備える。平綴じ部２０４は、用紙３００の束の端をステープル留めすることにより、用紙３００の束を平綴じして冊子を形成する。
【００４２】
排紙部２０５は、後処理装置２００の搬送路２１５を搬送された用紙３００が排出される排紙トレイを有する。本実施形態の排紙部２０５は、後処理装置２００の側部に設けられたメイン排紙トレイ２０５ａと、後処理装置２００の上部に設けられたサブ排紙トレイ２０５ｂを有する。
【００４３】
挿入紙給紙部２０６は、搬送路２１５に仕切り紙を供給する。挿入紙給紙部２０６は、搬送路２１５を搬送される所定の用紙と用紙の間に仕切り紙を供給できる。
【００４４】
なお、画像形成装置１００および後処理装置２００は、上記構成要素以外の構成要素を含んでいてもよく、あるいは、上記構成要素のうちの一部が含まれていなくてもよい。
【００４５】
以上のとおり構成される画像形成システム１０は、ジョブの実行中に紙詰まり等の搬送異常が生じた場合、自動パージ処理を実行する。具体的には、画像形成システム１０は、搬送異常となった用紙３００よりも上流側の搬送路にある用紙３００の搬送を停止し、搬送異常となった用紙３００がユーザーにより取り除かれた後、搬送路に残存する用紙３００を搬送して無効紙として外部に排出する。自動パージ処理の終了後、画像形成システム１０は、搬送異常により中断されたジョブを再開する。以下、図４〜図１１Ｅを参照して、画像形成システム１０の動作について詳細に説明する。
【００４６】
図４および図５は、画像形成システム１０により実行される印刷処理の手順を示すフローチャートである。なお、図４および図５のフローチャートにより示されるアルゴリズムは、画像形成装置１００の記憶部１０２にプログラムとして記憶されており、画像形成装置１００の制御部１０１により実行される。
【００４７】
印刷処理が開始されると、制御部１０１は、まず、搬送路１１５，２１５を搬送される用紙３００に紙詰まり等の搬送異常が生じたか否かを判断する（ステップＳ１０１）。
【００４８】
用紙３００の搬送異常が生じたと判断する場合（ステップＳ１０１：ＹＥＳ）、制御部１０１は、ステップＳ１０３の処理に移る。一方、用紙３００の搬送異常が生じていないと判断する場合（ステップＳ１０１：ＮＯ）、制御部１０１は、印刷処理が終了したか否かを判断する（ステップＳ１０２）。
【００４９】
印刷処理が終了したと判断する場合（ステップＳ１０２：ＹＥＳ）、制御部１０１は、処理を終了する。一方、印刷処理が終了していないと判断する場合（ステップＳ１０２：ＮＯ）、制御部１０１は、ステップＳ１０１の処理に戻る。
【００５０】
一方、ステップＳ１０１に示す処理において、用紙３００の搬送異常が生じたと判断する場合（ステップＳ１０１：ＹＥＳ）、制御部１０１は、搬送路１１５，２１５上の用紙３００の位置や用紙３００のサイズに基づいて、自動パージ処理が可能であるか否かを判断する（ステップＳ１０３）。
【００５１】
自動パージ処理が可能であると判断する場合（ステップＳ１０３：ＹＥＳ）、制御部１０１は、ステップＳ１０８の処理に移る。一方、自動パージ処理が可能でないと判断する場合（ステップＳ１０３：ＮＯ）、制御部１０１は、画像形成装置１００および後処理装置２００を制御して、用紙３００の搬送を直ちに停止させる（ステップＳ１０４）。
【００５２】
次に、制御部１０１は、搬送路１１５，２１５に残存するすべての用紙３００の除去をユーザーに促す異常通知画面を操作パネル１０３に表示する（ステップＳ１０５）。異常通知画面を見たユーザーは、異常通知画面の案内情報にしたがって、搬送路１１５，２１５に残存するすべての用紙３００を取り除く。
【００５３】
次に、制御部１０１は、搬送路１１５，２１５上のすべての用紙がユーザーにより取り除かれたか否かを判断する（ステップＳ１０６）。すべての用紙３００が取り除かれていないと判断する場合（ステップＳ１０６：ＮＯ）、制御部１０１は、すべての用紙３００が取り除かれるまで待機する。
【００５４】
一方、すべての用紙３００が取り除かれたと判断する場合（ステップＳ１０６：ＹＥＳ）、制御部１０１は、操作パネル１０３のスタートボタンがユーザーにより押下されたか否かを判断する（ステップＳ１０７）。
【００５５】
スタートボタンが押下されていないと判断する場合（ステップＳ１０７：ＮＯ）、制御部１０１は、スタートボタンが押下されるまで待機する。一方、スタートボタンが押下されたと判断する場合（ステップＳ１０７：ＹＥＳ）、制御部１０１は、リカバリ印刷を開始し（ステップＳ１１７）、ステップＳ１０１の処理に戻る。より具体的には、制御部１０１は、画像形成装置１００および後処理装置２００を制御して、用紙３００の搬送異常により中断された印刷処理を再開させる。
【００５６】
以上のとおり、ステップＳ１０１〜Ｓ１０７，Ｓ１１７に示す処理によれば、ジョブの実行中に用紙３００の搬送異常が生じた場合、自動パージ処理が可能であるか否かが判断される。そして、自動パージ処理が可能でないと判断される場合、ユーザーに対して、搬送路１１５，２１５上のすべての用紙３００の除去が促される。そして、搬送路１１５，２１５上のすべての用紙３００がユーザーにより除去された後、用紙３００の搬送異常により中断されたジョブが再開される。
【００５７】
一方、ステップＳ１０３に示す処理において、自動パージ処理が可能であると判断する場合（ステップＳ１０３：ＹＥＳ）、制御部１０１は、画像形成システム１０内の用紙３００を所定の停止位置に停止させる用紙搬送停止処理を実行する（ステップＳ１０８）。なお、用紙搬送停止処理自体は、公知の技術であるため、用紙搬送停止処理についての説明は省略する。
【００５８】
次に、制御部１０１は、搬送異常となった用紙の除去をユーザーに促す異常通知画面５２０（図９Ｂ参照）を操作パネル１０３に表示する（ステップＳ１０９）。異常通知画面５２０を見たユーザーは、異常通知画面５２０の案内情報にしたがって、搬送異常となった用紙３００を画像形成システム１０から取り除く。
【００５９】
次に、制御部１０１は、画像形成システム１０の動作モードを決定する動作モード決定処理を実行する（ステップＳ１１０）。なお、本実施形態の画像形成システム１０は、第１動作モードと第２動作モードとの間で動作モードを切り替え可能に構成されている。一旦、図４および図５の説明を離れ、ステップＳ１１０の詳細な内容を、図６を用いて説明する。
【００６０】
図６は、動作モード決定処理の手順を示すフローチャートである。
【００６１】
まず、制御部１０１は、ユーザーにより設定された動作モードを示すユーザー設定情報を取得する（ステップＳ２０１）。本実施形態では、画像形成システム１０の動作モードは、設定画面４００（図７参照）を通じて、ユーザー操作に基づき予め設定される。なお、設定画面４００上の「ジャム処理後排出開始」ボタン４０１が選択されれば、第１動作モードが設定され、「リカバリプリント開始前排出」ボタン４０２が選択されれば、第２動作モードが設定される。
【００６２】
次に、制御部１０１は、「ジャム処理後排出開始」ボタン４０１が選択されているか否かを判断する（ステップＳ２０２）。「ジャム処理後排出開始」ボタン４０１が選択されていると判断する場合（ステップＳ２０２：ＹＥＳ）、制御部１０１は、画像形成システム１０の動作モードを第１動作モードに決定し（ステップＳ２０３）、処理を終了する。
【００６３】
一方、「ジャム処理後排出開始」ボタン４０１が選択されていないと判断する場合（ステップＳ２０２：ＮＯ）、制御部１０１は、「リカバリプリント開始前排出」ボタン４０２が選択されているとして、画像形成システム１０の動作モードを第２動作モードに決定し（ステップＳ２０４）、処理を終了する。
【００６４】
以上のとおり、ステップＳ１１０に示す動作モード決定処理によれば、ユーザー設定情報が参照され、ユーザー操作に基づき設定された動作モードが、画像形成システム１０の動作モードに決定される。
【００６５】
図４の説明に戻って、制御部１０１は、搬送異常となった用紙３００がユーザーにより画像形成システム１０から取り除かれたか否かを判断する（ステップＳ１１１）。搬送異常となった用紙３００が画像形成システム１０から取り除かれていないと判断する場合（ステップＳ１１１：ＮＯ）、制御部１０１は、搬送異常となった用紙３００が画像形成システム１０から取り除かれるまで待機する。
【００６６】
一方、搬送異常となった用紙３００が画像形成システム１０から取り除かれたと判断する場合（ステップＳ１１１：ＹＥＳ）、制御部１０１は、ステップＳ１１０に示す動作モード決定処理で決定された画像形成システム１０の動作モードが第１動作モードであるか否かを判断する（ステップＳ１１２）。
【００６７】
画像形成システム１０の動作モードが第１動作モードでないと判断する場合（ステップＳ１１２：ＮＯ）、制御部１０１は、ステップＳ１１５の処理に移る。一方、画像形成システム１０の動作モードが第１動作モードであると判断する場合（ステップＳ１１２：ＹＥＳ）、制御部１０１は、用紙３００の自動パージ処理を実行する（ステップＳ１１３）。より具体的には、制御部１０１は、画像形成装置１００および後処理装置２００を制御して、ステップＳ１０８に示す用紙搬送停止処理において画像形成システム１０内で停止された用紙３００を搬送し、排紙トレイに排出する。
【００６８】
次に、制御部１０１は、操作パネル１０３のスタートボタンがユーザーにより押下されたか否かを判断する（ステップＳ１１４）。スタートボタンが押下されていないと判断する場合（ステップＳ１１４：ＮＯ）、制御部１０１は、スタートボタンが押下されるまで待機する。一方、スタートボタンが押下されたと判断する場合（ステップＳ１１４：ＹＥＳ）、制御部１０１は、リカバリ印刷を開始し（ステップＳ１１７）、ステップＳ１０１の処理に戻る。
【００６９】
以上のとおり、ステップＳ１０８〜Ｓ１１４，Ｓ１１７に示す処理によれば、ジョブの実行中に用紙３００の搬送異常が生じた場合、自動パージ処理が可能であれば、画像形成システム１０の動作モードが判断される。そして、画像形成システム１０の動作モードが第１動作モードである場合、自動パージ処理の終了後、ユーザーによりスタートボタンが押下されれば、用紙３００の搬送異常により中断されたジョブが再開される。
【００７０】
一方、ステップＳ１１２に示す処理において、画像形成システム１０の動作モードが第１動作モードでないと判断する場合（ステップＳ１１２：ＮＯ）、制御部１０１は、画像形成システム１０の動作モードが第２動作モードであるとして、操作パネル１０３のスタートボタンがユーザーにより押下されたか否かを判断する（ステップＳ１１５）。
【００７１】
スタートボタンが押下されていないと判断する場合（ステップＳ１１５：ＮＯ）、制御部１０１は、スタートボタンが押下されるまで待機する。一方、スタートボタンが押下されたと判断する場合（ステップＳ１１５：ＹＥＳ）、制御部１０１は、自動パージ処理を実行する（ステップＳ１１６）。自動パージ処理が終了すれば、制御部１０１は、リカバリ印刷を開始し（ステップＳ１１７）、ステップＳ１０１の処理に戻る。
【００７２】
以上のとおり、ステップＳ１１５〜Ｓ１１７に示す処理によれば、画像形成システム１０の動作モードが第２動作モードである場合、自動パージ処理の終了後、ユーザーによりスタートボタンが押下されるのを待つことなく、用紙３００の搬送異常により中断されたジョブが再開される。
【００７３】
次に、図８Ａ〜図１１Ｅを参照して、用紙３００の搬送異常が生じた場合の画像形成システム１０の動作についてより具体的に説明する。
【００７４】
＜第１動作モード＞
まず、図８Ａ〜図９Ｅを参照して、第１動作モードにおける画像形成システム１０の動作について説明する。図８Ａ〜図８Ｆは、画像形成システム１０の動作の一例を説明するための図であり、図９Ａ〜図９Ｅは、画像形成装置１００の操作パネル１０３に表示される画面の一例を示す図である。
【００７５】
図８Ａに示すとおり、ジョブの実行中、後処理装置２００内の搬送路２１５の「×」印の部分において用紙３０１の紙詰まりが生じたと仮定する。この場合、図８Ｂに示すとおり、画像形成システム１０は、用紙搬送停止処理を実行し、紙詰まりを起こした用紙３０１よりも上流側の搬送路１１５に存在する用紙３０２〜３０６を所定の停止位置に移動して停止させる。
【００７６】
そして、画像形成システム１０は、操作パネル１０３に表示する画面を、印刷中を示す画面５１０（図９Ａ参照）から紙詰まりを通知する異常通知画面５２０（図９Ｂ参照）に切り替える。異常通知画面５２０には、紙詰まりを起こした用紙の除去をユーザーに促す情報とともに、紙詰まりを起こした用紙を除去する手順を示す案内情報が含まれる。ユーザーは、異常通知画面５２０の案内情報にしたがって、画像形成システム１０から用紙３０１を取り除く。その結果、図８Ｃに示すとおり、画像形成システム１０の搬送路２１５には用紙３０１が存在しなくなる。
【００７７】
搬送路２１５に用紙３０１が存在しなくなれば、図８Ｄに示すとおり、画像形成システム１０は、自動パージ処理を実行し、搬送路１１５に残存する用紙３０２〜３０６をサブ排紙トレイ２０５ｂに排出する。この間、操作パネル１０３には、用紙３０２〜３０６を無効紙（不要紙）として排出していることを示す画面５３０（図９Ｃ参照）が表示される。なお、画像形成システム１０は、たとえば、搬送路２１５上の用紙センサー２０７により用紙３０１が検出されなくなったことをトリガとして、自動パージ処理を開始する。
【００７８】
自動パージ処理が終了すると、図８Ｅに示すとおり、画像形成システム１０は、操作パネル１０３のスタートボタン１０３ａがユーザーにより押下されるまで待機する。この間、操作パネル１０３には、スタートボタン１０３ａを押下すればジョブが再開されることを示す画面５４０（図９Ｄ参照）が表示される。
【００７９】
そして、サブ排紙トレイ２０５ｂに排出された用紙３０２〜３０６がユーザーにより取り除かれ、スタートボタン１０３ａが押下されれば、図８Ｆに示すとおり、画像形成システム１０は、リカバリ印刷を開始して、紙詰まりにより中断されたジョブを再開する。より具体的には、画像形成システム１０は、紙詰まりを起こした用紙３０１と、自動パージ処理により排出された用紙３０２〜３０６を再出力しつつ、ジョブの残りを実行する。なお、図８Ｆに示す用紙３１１は、紙詰まりを起こした用紙３０１に対応し、用紙３１２〜３１６は、自動パージ処理により無効紙として排出された用紙３０２〜３０６に対応している。リカバリ印刷が開始されれば、操作パネル１０３には、印刷中を示す画面５１０（図９Ｅ参照）が再び表示される。
【００８０】
以上のとおり、第１動作モードでは、ジョブの実行中に用紙３００の搬送異常が生じた場合、搬送異常となった用紙３０１がユーザーにより取り除かれた後、画像形成システム１０は、自動パージ処理を実行する。そして、自動パージ処理の終了後、画像形成システム１０は、操作パネル１０３のスタートボタン１０３ａがユーザーにより押下されるまで待機する。その後、ユーザーによりスタートボタン１０３ａが押下されれば、画像形成システム１０は、搬送異常により中断されたジョブを再開する。このような構成によれば、自動パージ処理の終了後、スタートボタン１０３ａが押下されない限りジョブが再開されないため、ジョブが再開される前に、ユーザーが、自動パージ処理により無効紙として排出された用紙を排紙トレイから取り除くことができる。したがって、たとえば、排紙トレイが１つしかない場合であっても、印刷物の中に不必要な用紙が混在することを防止できる。
【００８１】
＜第２動作モード＞
次に、図１０Ａ〜図１１Ｅを参照して、第２動作モードにおける画像形成システム１０の動作について説明する。図１０Ａ〜図１０Ｆは、画像形成システム１０の動作の一例を説明するための図であり、図１１Ａ〜図１１Ｅは、画像形成装置１００の操作パネル１０３に表示される画面の一例を示す図である。
【００８２】
図１０Ａに示すとおり、ジョブの実行中、後処理装置２００内の搬送路２１５の「×」印の部分において用紙３０１の紙詰まりが生じたと仮定する。この場合、図１０Ｂに示すとおり、画像形成システム１０は、用紙搬送停止処理を実行し、紙詰まりを起こした用紙３０１よりも上流側の搬送路１１５に存在する用紙３０２〜３０６を所定の停止位置に移動して停止させる。
【００８３】
そして、画像形成システム１０は、操作パネル１０３に表示する画面を、印刷中を示す画面５１０（図１１Ａ参照）から紙詰まりを通知する異常通知画面５２０（図１１Ｂ参照）に切り替える。ユーザーは、異常通知画面５２０の案内情報にしたがって、画像形成システム１０から用紙３０１を取り除く。その結果、図１０Ｃに示すとおり、画像形成システム１０の搬送路２１５には用紙３０１が存在しなくなる。
【００８４】
搬送路２１５に用紙３０１が存在しなくなれば、画像形成システム１０は、操作パネル１０３のスタートボタン１０３ａがユーザーにより押下されるまで待機する。この間、操作パネル１０３には、スタートボタン１０３ａを押下すれば、自動パージ処理を実行してジョブが再開されることを示す画面５５０（図１１Ｃ参照）が表示される。
【００８５】
そして、ユーザーによりスタートボタン１０３ａが押下されれば、図１０Ｄおよび図１０Ｅに示すとおり、画像形成システム１０は、自動パージ処理を実行し、搬送路１１５に残存する用紙３０２〜３０６をサブ排紙トレイ２０５ｂに排出する。この間、操作パネル１０３には、用紙３０２〜３０６を無効紙として排出していることを示す画面５３０（図１１Ｄ参照）が表示される。
【００８６】
自動パージ処理が終了すると、図１０Ｆに示すとおり、画像形成システム１０は、リカバリ印刷を直ちに開始して、紙詰まりにより中断されたジョブを再開する。具体的には、画像形成システム１０は、紙詰まりを起こした用紙３０１と、自動パージ処理により排出された用紙３０２〜３０６を再出力しつつ、ジョブの残りを実行する。リカバリ印刷が開始されれば、操作パネル１０３には、印刷中を示す画面５１０（図１１Ｅ参照）が再び表示される。
【００８７】
以上のとおり、第２動作モードでは、ジョブの実行中に用紙３００の搬送異常が生じた場合、搬送異常となった用紙３０１がユーザーにより取り除かれた後、画像形成システム１０は、操作パネル１０３のスタートボタン１０３ａがユーザーにより押下されるまで待機する。そして、ユーザーによりスタートボタン１０３ａが押下されれば、画像形成システム１０は、自動パージ処理を実行し、自動パージ処理の終了後、続けてジョブを再開する。このような構成によれば、ユーザーは、紙詰まりを起こした用紙３０１を画像形成システム１０から取り除いた後（ジャム処理後）、スタートボタン１０３ａを押下して、画像形成システム１０の前から直ちに離れることができる。
【００８８】
以上のとおり、本実施形態の画像形成システム１０は、第１動作モードと第２動作モードとの間で動作モードを切り替え可能に構成されている。そして、紙詰まり等の搬送異常が生じた場合、画像形成装置１００の制御部１０１は、ユーザー操作に基づき設定された動作モードを画像形成システム１０の動作モードに決定する。このような構成によれば、画像形成システム１０の使用環境（オフィス／商用印刷）やオプション構成に応じて、動作モードを切り替えることが可能になり、ユーザーの利便性が向上する。
【００８９】
なお、画像形成システム１０がオフィスで使用される場合、画像形成システム１０の前にユーザーが長時間留まることは望ましくないため、たとえば、画像形成システム１０の動作モードとして第２動作モードが設定される。一方、画像形成システム１０が商用印刷に用いられる場合、専属のオペレーターが存在することが多いため、たとえば、画像形成システム１０の動作モードとして第１動作モードが設定される。
【００９０】
（第２実施形態）
次に、図１２〜図１５Ｃを参照して、本発明の第２実施形態について説明する。本実施形態は、後処理装置２００の排紙トレイ数に応じて、画像形成システム１０の動作モードを切り替える実施形態である。
【００９１】
図１２は、本実施形態に係る画像形成システム１０の概略構成を示す図である。画像形成システム１０は、用紙上に画像を形成する画像形成装置１００と、画像形成装置１００により画像が形成された用紙に後処理を施す後処理装置２００とを備える。本実施形態の後処理装置２００は、サブ排紙トレイ２０５ｂを備えず、メイン排紙トレイ２０５ａのみを備える。
【００９２】
図１３は、本実施形態に係る動作モード決定処理の手順を示すフローチャートである。なお、本実施形態に係る印刷処理自体は、第１実施形態と同様であるため、印刷処理についての説明は省略する。
【００９３】
まず、制御部１０１は、画像形成システム１０に備えられた排紙トレイの構成を示す排紙トレイ接続情報を取得する（ステップＳ３０１）。
【００９４】
次に、制御部１０１は、排紙トレイ接続情報を参照して、画像形成システム１０に備えられる排紙トレイが１つであるか否かを判断する（ステップＳ３０２）。
【００９５】
排紙トレイが１つであると判断する場合（ステップＳ３０２：ＹＥＳ）、制御部１０１は、画像形成システム１０の動作モードを第１動作モードに決定し（ステップＳ３０５）、処理を終了する。
【００９６】
一方、排紙トレイが１つでないと判断する場合（ステップＳ３０２：ＮＯ）、制御部１０１は、ユーザー設定情報を取得する（ステップＳ３０３）。ステップＳ３０３以下の処理は、図６のステップＳ２０１以下の処理と同様であるため、詳細な説明は省略する。
【００９７】
以上のとおり、図１３に示すフローチャートの処理によれば、まず、画像形成システム１０に備えられる排紙トレイが１つであるか否かが判断される。そして、排紙トレイが１つであると判断される場合、画像形成システム１０の動作モードが第１動作モードに決定される。一方、画像形成システム１０に備えられる排紙トレイが複数であると判断される場合、画像形成システム１０の動作モードが、ユーザー操作に基づき設定された動作モードに決定される。
【００９８】
次に、図１４Ａ〜図１５Ｃを参照して、本実施形態に係る画像形成システム１０の動作についてより具体的に説明する。
【００９９】
図１４Ａ〜図１４Ｃは、画像形成システム１０の動作の一例を説明するための図であり、図１５Ａ〜図１５Ｃは、操作パネル１０３に表示される画面の一例を示す図である。なお、以下では、画像形成システム１０が排紙トレイを１つしか備えていない場合について説明する。
【０１００】
図１４Ａに示すとおり、ジョブの実行中に紙詰まりが生じれば、画像形成システム１０は、用紙搬送停止処理を実行し、紙詰まりを起こした用紙３０１よりも上流側の搬送路１１５に存在する用紙３０２〜３０６を所定の停止位置に移動して停止させる。そして、画像形成システム１０は、紙詰まりを通知する異常通知画面５６０（図１５Ａ参照）を操作パネル１０３に表示する。ユーザーは、異常通知画面５６０の案内情報にしたがって、画像形成システム１０から用紙３０１を取り除く。
【０１０１】
画像形成システム１０の搬送路２１５から用紙３０１が取り除かれれば、画像形成システム１０は、自動パージ処理を実行して、搬送路１１５に残存する用紙３０２〜３０６をメイン排紙トレイ２０５ａに排出する。その結果、図１４Ｂに示すとおり、メイン排紙トレイ２０５ａ上には、自動パージ処理を実行する前に排出された用紙３００ａ上に、自動パージ処理により無効紙として排出された用紙３０２〜３０６が積層される。
【０１０２】
自動パージ処理が終了すると、画像形成システム１０は、操作パネル１０３のスタートボタン１０３ａがユーザーにより押下されるまで待機する。この間、操作パネル１０３には、スタートボタン１０３ａを押下すればジョブが再開されることを示す画面５７０（図１５Ｂ参照）が表示される。
【０１０３】
ユーザーは、排紙トレイ２０５ａから用紙３０２〜３０６を取り除いた後、スタートボタン１０３ａを押下する。スタートボタン１０３ａが押下されれば、図１４Ｃに示すとおり、画像形成システム１０は、リカバリ印刷を開始して、紙詰まりにより中断されたジョブを再開する。リカバリ印刷が開始されれば、操作パネル１０３には、印刷中を示す画面５８０（図１５Ｃ参照）が表示される。
【０１０４】
以上のとおり、本実施形態によれば、画像形成システム１０に排紙トレイが１つしか備えられていない場合、画像形成システム１０の動作モードが第１動作モードに決定される。このような構成によれば、自動パージ処理の終了後、スタートボタン１０３ａが押下されない限りジョブが再開されないため、ジョブが再開される前に、ユーザーが、無効紙として排出された用紙３０２〜３０６を排紙トレイ２０５ａから取り除くことができる。その結果、排紙トレイ２０５ａ上の印刷物の中に不必要な用紙３０２〜３０６が混在することを防止できる。
【０１０５】
なお、画像形成システム１０に排紙トレイが１つしか備えられていない場合、ユーザー操作に基づく動作モードの設定が禁止されてもよい。この場合、たとえば、設定画面４００（図７参照）上の「ジャム処理後排出開始」ボタン４０１および「リカバリプリント開始前排出」ボタン４０２の両方を選択不可能にしたり、非表示にしたりすることによって、動作モードの設定が禁止される。
【０１０６】
（第３実施形態）
次に、図１６〜図１９Ｃを参照して、本発明の第３実施形態について説明する。本実施形態は、後処理装置２００が仕切り紙を供給可能であるか否かに応じて、画像形成システム１０の動作モードを切り替える実施形態である。
【０１０７】
図１６は、本実施形態に係る画像形成システム１０の概略構成を示す図である。画像形成システム１０は、用紙上に画像を形成する画像形成装置１００と、画像形成装置１００により画像が形成された用紙に後処理を施す後処理装置２００とを備える。本実施形態の後処理装置２００では、２枚の仕切り紙６０１，６０２が挿入紙給紙部２０６にセットされている。
【０１０８】
図１７は、本実施形態に係る動作モード決定処理の手順を示すフローチャートである。なお、本実施形態に係る印刷処理自体は、第１実施形態と同様であるため、印刷処理についての説明は省略する。
【０１０９】
まず、制御部１０１は、挿入紙給紙部２０６から排紙トレイ２０５ａまでの搬送路に残存する用紙を示す残留紙情報を取得する（ステップＳ４０１）。
【０１１０】
次に、制御部１０１は、残留紙情報を参照して、仕切り紙６０１，６０２の挿入が可能であるか否かを判断する（ステップＳ４０２）。たとえば、画像形成システム１０内に残存しているすべての用紙３００が、挿入紙給紙部２０６よりも上流側の搬送路にある場合、仕切り紙６０１，６０２の挿入が可能であると判断される。
【０１１１】
仕切り紙６０１，６０２の挿入が可能であると判断する場合（ステップＳ４０２：ＹＥＳ）、制御部１０１は、画像形成システム１０の動作モードを第２動作モードに決定し（ステップＳ４０６）、処理を終了する。
【０１１２】
一方、仕切り紙６０１，６０２の挿入が可能でないと判断する場合（ステップＳ４０２：ＮＯ）、制御部１０１は、ユーザー設定情報を取得する（ステップＳ４０３）。ステップＳ４０３以下の処理は、図６のステップＳ２０１以下の処理と同様であるため、詳細な説明は省略する。
【０１１３】
以上のとおり、図１７に示すフローチャートの処理によれば、まず、画像形成システム１０が仕切り紙６０１，６０２を供給可能であるか否かが判断される。そして、画像形成システム１０が仕切り紙６０１，６０２を供給可能であると判断される場合、画像形成システム１０の動作モードが第２動作モードに決定される。一方、画像形成システム１０が仕切り紙６０１，６０２を供給可能でないと判断される場合、画像形成システム１０の動作モードが、ユーザー操作に基づき設定された動作モードに決定される。
【０１１４】
次に、図１８Ａ〜図１９Ｃを参照して、本実施形態に係る画像形成システム１０の動作についてより具体的に説明する。
【０１１５】
図１８Ａ〜図１８Ｃは、画像形成システム１０の動作の一例を説明するための図であり、図１９Ａ〜図１９Ｃは、操作パネル１０３に表示される画面の一例を示す図である。なお、以下では、画像形成システム１０が仕切り紙６０１，６０２を供給可能な場合について説明する。
【０１１６】
図１８Ａに示すとおり、ジョブの実行中に紙詰まりが生じれば、画像形成システム１０は、用紙搬送停止処理を実行し、紙詰まりを起こした用紙３０１よりも上流側の搬送路に存在する用紙３０２〜３０６を所定の停止位置に移動して停止させる。そして、画像形成システム１０は、紙詰まりを通知する異常通知画面５２０（図１９Ａ参照）を操作パネル１０３に表示する。ユーザーは、異常通知画面５２０の案内情報にしたがって、画像形成システム１０から用紙３０１を取り除く。
【０１１７】
画像形成システム１０の搬送路から用紙３０１が取り除かれれば、図１８Ｂに示すとおり、画像形成システム１０は、操作パネル１０３のスタートボタン１０３ａがユーザーにより押下されるまで待機する。この間、操作パネル１０３には、スタートボタン１０３ａを押下すれば、自動パージ処理を実行してジョブが再開されることを示す画面５９０（図１９Ｂ参照）が表示される。
【０１１８】
そして、ユーザーによりスタートボタン１０３ａが押下されれば、画像形成システム１０は、まず、仕切り紙６０１を排紙トレイ２０５ａに排出する。続いて、画像形成システム１０は、自動パージ処理を実行して、搬送路１１５に残存する用紙３０２〜３０６を排紙トレイ２０５ａに排出する。この間、操作パネル１０３には、用紙３０２〜３０６を無効紙として排出していることを示す画面５３０（図１９Ｃ参照）が表示される。
【０１１９】
自動パージ処理が終了すると、画像形成システム１０は、仕切り紙６０２を排紙トレイ２０５ａに排出した後、リカバリ印刷を直ちに開始する。その結果、図１８Ｃに示すとおり、排紙トレイ２０５ａ上では、自動パージ処理の開始前または終了後に排出された用紙３００ａ，３１１〜３１６と、自動パージ処理により無効紙として排出された用紙３０２〜３０６との間に仕切り紙６０１，６０２が挿入される。仕切り紙６０１，６０２が挿入されることにより、印刷物の中から不必要な用紙３０２〜３０６を容易に識別することが可能になる。
【０１２０】
以上のとおり、本実施形態によれば、画像形成システム１０が仕切り紙６０１，６０２を供給可能な場合、画像形成システム１０の動作モードが第２動作モードに決定される。このような構成によれば、自動パージ処理により無効紙として排出される用紙３０２〜３０６が他の用紙３００ａ，３１１〜３１６と区別されるため、ユーザーは、ジョブが再開される前に排紙トレイから不必要な用紙３０２〜３０６を取り除く必要がない。したがって、ユーザーは、紙詰まりを起こした用紙３０１を画像形成システム１０から取り除いた後、スタートボタン１０３ａを押下して、画像形成システム１０の前から直ちに離れることができる。
【０１２１】
なお、上述した本実施形態では、自動パージ処理により無効紙として排出される用紙の上下に仕切り紙６０１，６０２がそれぞれ積層された。しかしながら、本実施形態とは異なり、自動パージ処理により無効紙として排出される用紙の上および下のいずれか一方に仕切り紙が積層されてもよい。
【０１２２】
また、上述した実施形態では、仕切り紙を供給可能な場合、自動パージ処理により用紙をサブ排紙トレイ２０５ｂに排出して用紙を区別する処理よりも、仕切り紙を挿入して用紙を区別する処理が優先的に実行されている。しかしながら、２つの処理の優先順位はこれに限定されるものではなく、排紙トレイが２つ以上あれば、仕切り紙を供給する処理よりも、自動パージ処理により用紙をサブ排紙トレイ２０５ｂに排出する処理が優先的に実行されてもよい。
【０１２３】
（第４実施形態）
次に、図２０〜図２３Ｃを参照して、本発明の第４実施形態について説明する。本実施形態は、後処理装置２００が無効紙専用の排紙トレイを備えるか否かに応じて、画像形成システム１０の動作モードを切り替える実施形態である。
【０１２４】
図２０は、本実施形態に係る画像形成システム１０の概略構成を示す図である。画像形成システム１０は、用紙上に画像を形成する画像形成装置１００と、画像形成装置１００により画像が形成された用紙に後処理を施す後処理装置２００とを備える。本実施形態の後処理装置２００は、無効紙が排出される専用の排紙トレイ２０５ｃを備える。
【０１２５】
図２１は、本実施形態に係る動作モード決定処理の手順を示すフローチャートである。なお、本実施形態に係る印刷処理自体は、第１実施形態と同様であるため、印刷処理についての説明は省略する。
【０１２６】
まず、制御部１０１は、画像形成システム１０に備えられた排紙トレイの構成を示す排紙トレイ接続情報を取得する（ステップＳ５０１）。
【０１２７】
次に、制御部１０１は、排紙トレイ接続情報を参照して、無効紙が排出される専用の排紙トレイ２０５ｃがあるか否かを判断する（ステップＳ５０２）。
【０１２８】
専用の排紙トレイ２０５ｃがあると判断する場合（ステップＳ５０２：ＹＥＳ）、制御部１０１は、無効紙の排出先が専用の排紙トレイ２０５ｃであるか否かを判断する（ステップＳ５０３）。たとえば、画像形成システム１０内に残存しているすべての用紙が、専用の排紙トレイ２０５ｃよりも上流側の搬送路にある場合、無効紙の排出先が専用の排紙トレイ２０５ｃであると判断される。
【０１２９】
無効紙の排出先が専用の排紙トレイ２０５ｃであると判断する場合（ステップＳ５０３：ＹＥＳ）、制御部１０１は、画像形成システム１０の動作モードを第２動作モードに決定し（ステップＳ５０７）、処理を終了する。
【０１３０】
一方、専用の排紙トレイ２０５ｃがないと判断する場合（ステップＳ５０２：ＮＯ）、または、無効紙の排出先が専用の排紙トレイ２０５ｃでないと判断する場合（ステップＳ５０３：ＮＯ）、制御部１０１は、ユーザー設定情報を取得する（ステップＳ５０４）。ステップＳ５０４以下の処理は、図６のステップＳ２０１以下の処理と同様であるため、詳細な説明は省略する。
【０１３１】
以上のとおり、図２１に示すフローチャートの処理によれば、画像形成システム１０が、無効紙専用の排紙トレイ２０５ｃを有しており、かつ、無効紙の排出先が専用の排紙トレイ２０５ｃである場合、画像形成システム１０の動作モードが第２動作モードに決定される。一方、画像形成システム１０が専用の排紙トレイ２０５ｃを有していない場合、または、無効紙の排出先が専用の排紙トレイ２０５ｃでない場合、画像形成システム１０の動作モードが、ユーザー操作に基づき設定された動作モードに決定される。
【０１３２】
次に、図２２Ａ〜図２３Ｃを参照して、本実施形態に係る画像形成システム１０の動作についてより具体的に説明する。
【０１３３】
図２２Ａ〜図２２Ｃは、画像形成システム１０の動作の一例を説明するための図であり、図２３Ａ〜図２３Ｃは、操作パネル１０３に表示される画面の一例を示す図である。なお、以下では、画像形成システム１０が専用の排紙トレイ２０５ｃを有し、かつ、無効紙が専用の排紙トレイ２０５ｃに排出される場合について説明する。
【０１３４】
図２２Ａに示すとおり、ジョブの実行中に紙詰まりが生じれば、画像形成システム１０は、用紙搬送停止処理を実行し、紙詰まりを起こした用紙３０１よりも上流側の搬送路に存在する用紙３０２〜３０６を所定の停止位置に移動して停止させる。そして、画像形成システム１０は、紙詰まりを通知する異常通知画面５２０（図２３Ａ参照）を操作パネル１０３に表示する。ユーザーは、異常通知画面５２０の案内情報にしたがって、画像形成システム１０から用紙３０１を取り除く。
【０１３５】
画像形成システム１０の搬送路から用紙３０１が取り除かれれば、図２２Ｂに示すとおり、画像形成システム１０は、操作パネル１０３のスタートボタン１０３ａがユーザーにより押下されるまで待機する。この間、操作パネル１０３には、スタートボタン１０３ａを押下すれば、自動パージ処理を実行してジョブが再開されることを示す画面５９０（図２３Ｂ参照）が表示される。
【０１３６】
そして、ユーザーによりスタートボタン１０３ａが押下されれば、図２２Ｃに示すとおり、画像形成システム１０は、自動パージ処理を実行して、搬送路１１５に残存する用紙３０２〜３０６を専用の排紙トレイ２０５ｃに排出する。自動パージ処理が終了すると、画像形成システム１０は、リカバリ印刷を直ちに開始する。リカバリ印刷が開始されれば、操作パネル１０３には、印刷中を示す画面５１０（図２３Ｃ参照）が表示される。
【０１３７】
以上のとおり、本実施形態によれば、画像形成システム１０に備えられる専用の排紙トレイ２０５ｃに無効紙が排出される場合、画像形成システム１０の動作モードが第２動作モードに決定される。専用の排紙トレイ２０５ｃが満杯になるまで排紙トレイ２０５ｃから無効紙を取り除く必要がないため、ユーザーは、紙詰まりを起こした用紙３０１を画像形成システム１０から取り除いた後、スタートボタン１０３ａを押下して、画像形成システム１０の前から直ちに離れることができる。
【０１３８】
（第５実施形態）
次に、図２４を参照して、本発明の第５実施形態について説明する。本実施形態は、ジョブのセキュリティレベルに応じて、画像形成システムの動作モードを切り替える実施形態である。
【０１３９】
図２４は、本実施形態に係る動作モード決定処理の手順を示すフローチャートである。なお、本実施形態に係る画像形成システム１０の構成自体は、第１実施形態と同様であるため、画像形成システム１０の構成についての説明は省略する。また、本実施形態に係る印刷処理自体も、第１実施形態と同様であるため、印刷処理についての説明も省略する。
【０１４０】
まず、制御部１０１は、ジョブを解析して、ジョブに設定されているセキュリティレベルを示すセキュリティレベル情報を取得する（ステップＳ６０１）。
【０１４１】
次に、制御部１０１は、セキュリティレベル情報を参照して、ジョブのセキュリティレベルが機密レベルであるか否かを判断する（ステップＳ６０２）。
【０１４２】
ジョブのセキュリティレベルが機密レベルであると判断する場合（ステップＳ６０２：ＹＥＳ）、制御部１０１は、画像形成システム１０の動作モードを第２動作モードに決定し（ステップＳ６０６）、処理を終了する。
【０１４３】
一方、ジョブのセキュリティレベルが機密レベルでないと判断する場合（ステップＳ６０２：ＮＯ）、制御部１０１は、ジョブのセキュリティレベルが一般レベルであるとして、ユーザー設定情報を取得する（ステップＳ６０３）。ステップＳ６０３以下の処理は、図６のステップＳ２０１以下の処理と同様であるため、詳細な説明は省略する。
【０１４４】
以上のとおり、図２４に示すフローチャートの処理によれば、まず、ジョブのセキュリティレベルが機密レベルであるか否かが判断される。そして、ジョブのセキュリティレベルが機密レベルであると判断される場合、画像形成システム１０の動作モードが第２動作モードに決定される。一方、ジョブのセキュリティレベルが一般レベルであると判断される場合、画像形成システム１０の動作モードが、ユーザー操作に基づき設定された動作モードに決定される。
【０１４５】
このような構成によれば、ジョブのセキュリティレベルが高い場合、紙詰まりを起こした用紙が取り除かれた後、スタートボタン１０３ａが押下されない限り、自動パージ処理が実行されない。したがって、画像形成システム１０内に残存する機密用紙が、ユーザーの意思とは無関係にサブ排紙トレイ２０５ｂ等に排出されることが防止される。
【０１４６】
なお、上述した本実施形態では、ジョブのセキュリティレベルとして、「機密」と「一般」の２つのレベルが設定された。しかしながら、本実施形態とは異なり、ジョブのセキュリティレベルとして、３つ以上のレベルが設定されてもよい。この場合、ジョブのセキュリティレベルが所定レベル以上の場合、画像形成システム１０の動作モードが第２動作モードに決定される。
【０１４７】
（第６実施形態）
次に、図２５を参照して、本発明の第６実施形態について説明する。本実施形態は、搬送異常の原因に応じて、画像形成システムの動作モードを切り替える実施形態である。
【０１４８】
図２５は、本実施形態に係る動作モード決定処理の手順を示すフローチャートである。なお、本実施形態に係る画像形成システム１０の構成自体は、第１実施形態と同様であるため、画像形成システム１０の構成についての説明は省略する。また、本実施形態に係る印刷処理では、図４のステップＳ１１１に示す処理が省略され、搬送異常となった用紙も自動パージ処理により排出される。
【０１４９】
まず、制御部１０１は、用紙の搬送異常の原因を示す異常原因情報を取得する（ステップＳ７０１）。
【０１５０】
次に、制御部１０１は、異常原因情報を参照して、搬送異常となった用紙の再搬送が可能であるか否かを判断する（ステップＳ７０２）。ここで、制御部１０１は、異常原因情報が示す原因が、用紙の片寄り異常、用紙の曲がり異常、用紙の重送、または画像準備未完了の場合、搬送異常となった用紙の再搬送が可能であると判断する。なお、用紙の片寄り異常は、用紙の搬送に問題はないが、画像の補正が不可能な用紙の片寄りである。また、用紙の曲がり異常は、用紙の搬送に問題はないが、所定量異常の用紙の傾きである。
【０１５１】
搬送異常となった用紙の再搬送が可能であると判断する場合（ステップＳ７０２：ＹＥＳ）、制御部１０１は、画像形成システム１０の動作モードを第２動作モードに決定し（ステップＳ７０６）、処理を終了する。
【０１５２】
一方、搬送異常となった用紙の再搬送が可能でないと判断する場合（ステップＳ７０２：ＮＯ）、制御部１０１は、ユーザー設定情報を取得する（ステップＳ７０３）。ステップＳ７０３以下の処理は、図６のステップＳ２０１以下の処理と同様であるため、詳細な説明は省略する。
【０１５３】
以上のとおり、図２５に示すフローチャートの処理によれば、まず、搬送異常となった用紙の再搬送が可能であるか否かが判断される。そして、用紙の再搬送が可能であると判断される場合、画像形成システム１０の動作モードが第２動作モードに決定される。一方、用紙の再搬送が可能でないと判断される場合、画像形成システム１０の動作モードが、ユーザー操作に基づき設定された動作モードに決定される。
【０１５４】
搬送異常となった用紙の再搬送が可能な場合、搬送異常となった用紙をユーザーが取り除く必要がないため、用紙の搬送異常が生じた場合、ユーザーは、スタートボタン１０３ａを押下して、画像形成システム１０の前から直ちに離れることができる。
【０１５５】
なお、上述した本実施形態において、画像形成装置１００の制御部１０１は、対応するプログラムを実行することによって、搬送異常となった用紙の搬送が可能であるか否かを判断する判断部として機能する。
【０１５６】
本発明は、上述した第１〜第６実施形態のみに限定されるものではなく、特許請求の範囲内において、種々改変することができる。
【０１５７】
たとえば、上述した第１〜第６実施形態では、画像形成システム１０の動作モードが第１動作モードの場合、搬送異常となった用紙がユーザーにより取り除かれた後、自動パージ処理が続けて実行された。しかしながら、画像形成システム１０の動作モードが第１動作モードの場合、搬送異常となった用紙がユーザーにより取り除かれた後、操作パネル１０３のスタートボタン１０３ａがユーザーにより押下された場合、自動パージ処理が実行されてもよい。この場合、自動パージ処理の終了後、スタートボタン１０３ａがユーザーにより再び押下されると、ジョブが再開される。
【０１５８】
また、上述した第１〜第６実施形態では、画像形成システム１０の動作モードが第２動作モードの場合、搬送異常の原因となった用紙がユーザーにより取り除かれた後、操作パネル１０３のスタートボタン１０３ａがユーザーにより押下されると、自動パージ処理が実行された。しかしながら、画像形成システム１０の動作モードが第２動作モードの場合、搬送異常となった用紙がユーザーにより取り除かれた後、スタートボタン１０３ａが押下されるのを待つことなく、自動パージ処理が続けて実行されてもよい。
【０１５９】
また、上述した第１〜第６実施形態では、画像形成システムは、第１動作モードと第２動作モードとの間で動作モードを切り替え可能に構成された。しかしながら、画像形成システムは、動作モードを切り替え可能に構成されていなくともよく、常に、第１動作モードで動作してもよい。
【０１６０】
また、上述した第１〜第６実施形態では、画像形成システム１０の動作モードが第１動作モードの場合、自動パージ処理の終了後、操作パネル１０３のスタートボタン１０３ａが押下されることにより所定の信号が生成され、所定の信号が認識された場合にジョブが再開された。しかしながら、自動パージ処理の終了後にジョブを再開するための信号は、スタートボタン１０３ａが押下された場合に生成される信号に限定されるものではなく、ユーザーの動作に基づいて生成される種々の信号が用いられる。たとえば、排紙トレイから用紙が取り除かれたことを検出するためのセンサーを排紙トレイに設け、排紙トレイのセンサーが出力する信号が用いられてもよい。この場合、自動パージ処理により無効紙として排出された用紙をユーザーが排紙トレイから取り除いた場合、排紙トレイのセンサーにより所定の信号が生成され、所定の信号が認識された場合にジョブが再開される。
【０１６１】
また、上述した第１〜第６実施形態では、画像形成装置と後処理装置とが別体に構成された画像形成システムを例に挙げて説明した。しかしながら、本発明の画像形成システムは、画像形成装置と後処理装置とが別体に構成されたものに限定されるものではなく、画像形成装置と後処理装置とが一体に構成されていてもよい。あるいは、本発明の画像形成システムは、画像形成装置単体により構成されてもよい。
【０１６２】
上述した実施形態に係る画像形成システムにおける各種処理を行う手段および方法は、専用のハードウエア回路、またはプログラムされたコンピューターのいずれによっても実現することが可能である。上記プログラムは、たとえば、ＣＤ−ＲＯＭ（Ｃｏｍｐａｃｔ  Ｄｉｓｃ  Ｒｅａｄ  Ｏｎｌｙ  Ｍｅｍｏｒｙ）等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、画像形成システムの一機能としてその装置のソフトウエアに組み込まれてもよい。
【符号の説明】
【０１６３】
１０  画像形成システム、
１００  画像形成装置、
１０１，２０１  制御部、
１０２，２０２  記憶部、
１０３  操作パネル、
１０４  画像読取部、
１０５  給紙部、
１０６，２０３  用紙搬送部、
１０７  画像処理部、
１０８  画像形成部、
１０９，２０７  用紙センサー、
１１０，２０８  通信部、
１１１，２０９  バス、
１１５，２１５  搬送路、
２００  後処理装置、
２０４  平綴じ部、
２０５  排紙部、
２０５ａ，２０５ｂ，２０５ｃ  排紙トレイ、
２０６  挿入紙給紙部、
３００，３００ａ，３０１〜３０６，３１１〜３１６  用紙、
４００，５１０〜５９０  画面、
６０１，６０２  仕切り紙。
【図１】
2018118832.tif 000003
【図２】
2018118832.tif 000004
【図３】
2018118832.tif 000005
【図４】
2018118832.tif 000006
【図５】
2018118832.tif 000007
【図６】
2018118832.tif 000008
【図７】
2018118832.tif 000009
【図８Ａ】
2018118832.tif 000010
【図８Ｂ】
2018118832.tif 000011
【図８Ｃ】
2018118832.tif 000012
【図８Ｄ】
2018118832.tif 000013
【図８Ｅ】
2018118832.tif 000014
【図８Ｆ】
2018118832.tif 000015
【図９Ａ】
2018118832.tif 000016
【図９Ｂ】
2018118832.tif 000017
【図９Ｃ】
2018118832.tif 000018
【図９Ｄ】
2018118832.tif 000019
【図９Ｅ】
2018118832.tif 000020
【図１０Ａ】
2018118832.tif 000021
【図１０Ｂ】
2018118832.tif 000022
【図１０Ｃ】
2018118832.tif 000023
【図１０Ｄ】
2018118832.tif 000024
【図１０Ｅ】
2018118832.tif 000025
【図１０Ｆ】
2018118832.tif 000026
【図１１Ａ】
2018118832.tif 000027
【図１１Ｂ】
2018118832.tif 000028
【図１１Ｃ】
2018118832.tif 000029
【図１１Ｄ】
2018118832.tif 000030
【図１１Ｅ】
2018118832.tif 000031
【図１２】
2018118832.tif 000032
【図１３】
2018118832.tif 000033
【図１４Ａ】
2018118832.tif 000034
【図１４Ｂ】
2018118832.tif 000035
【図１４Ｃ】
2018118832.tif 000036
【図１５Ａ】
2018118832.tif 000037
【図１５Ｂ】
2018118832.tif 000038
【図１５Ｃ】
2018118832.tif 000039
【図１６】
2018118832.tif 000040
【図１７】
2018118832.tif 000041
【図１８Ａ】
2018118832.tif 000042
【図１８Ｂ】
2018118832.tif 000043
【図１８Ｃ】
2018118832.tif 000044
【図１９Ａ】
2018118832.tif 000045
【図１９Ｂ】
2018118832.tif 000046
【図１９Ｃ】
2018118832.tif 000047
【図２０】
2018118832.tif 000048
【図２１】
2018118832.tif 000049
【図２２Ａ】
2018118832.tif 000050
【図２２Ｂ】
2018118832.tif 000051
【図２２Ｃ】
2018118832.tif 000052
【図２３Ａ】
2018118832.tif 000053
【図２３Ｂ】
2018118832.tif 000054
【図２３Ｃ】
2018118832.tif 000055
【図２４】
2018118832.tif 000056
【図２５】
2018118832.tif 000057